(57)【特許請求の範囲】
【請求項１】
蓋本体の下面に放熱板セットを着脱自在に取り付け、上記蓋本体にジャー本体と係合する蓋フックと、上記放熱板セットと係合する放熱板フックとを設け、上記蓋フックを蓋フックばねにより、また上記放熱板フックを放熱板フックばねによりそれぞれ係合方向に付勢力を付与した炊飯ジャーの蓋において、上記蓋フックと上記放熱板フックとを独立の部材により形成するとともに、上記各フックを共通の支点ピン上に回転自在に、且つ、それぞれのフックばねの付勢力により同じ回転方向に係合と係合解除が行われるように取り付け、上記放熱板フックばねの一部に放熱板フック当接部を形成し、該放熱板フックが上記支点ピンを中心に係合解除方向に回転した際にその放熱板フック当接部が当接する蓋フック当接部を上記蓋フックばねに形成し、上記蓋フックが上記ジャー本体との係合から外れた当初の係合解除状態における上記放熱板フック当接部と上記蓋フック当接部との位置関係が、上記放熱板フック当接部を基準に係合解除回転方向に見た場合に上記蓋フック当接部が一定の進み角度θ１の位置にあることを特徴とする炊飯ジャーの蓋。
【請求項２】
上記の角度θ１が、上記放熱板フックと放熱板セットとの係合の解除が開始されてから完全解除に至るまでに該放熱板フックが回転する回転角度θより小さいことを特徴とする請求項１に記載の炊飯ジャーの蓋。
【請求項３】
上記放熱板フックが上記角度θ１だけ係合解除回転方向に回転する間は、上記放熱板フックばねのばね力のみが該放熱板フックに作用し、上記角度θ１を越えて上記回転角度θ直前に達するまでの回転角度θ２を回転する間は、上記放熱板フックばねと上記蓋フックばねの総合ばね力が該放熱板フックに作用することを特徴とする請求項２に記載の炊飯ジャーの蓋。
【請求項４】
上記放熱板フックばねが上記支点ピンに沿って設けた直線状の弾性体により形成され、その弾性体の一部に上記の放熱板フック当接部が形成されたことを特徴とする請求項１から３のいづれかに記載の炊飯ジャーの蓋。
【請求項５】
上記放熱板フックばねがコイルばねにより形成され、そのコイルばねの一部に上記の放熱板フック当接部が形成されたことを特徴とする請求項１から３のいづれかに記載の炊飯ジャーの蓋。
【請求項６】
蓋本体の下面に放熱板セットを着脱自在に取り付け、上記蓋本体にジャー本体と係合する蓋フックと、上記放熱板セットと係合する放熱板フックとを設け、上記蓋フックを蓋フックばねにより、また上記放熱板フックを放熱板フックばねによりそれぞれ係合方向に付勢力を付与した炊飯ジャーの蓋において、上記蓋フックと上記放熱板フックとを独立の部材により形成し、上記蓋フックを支点ピンに回転自在に取り付け、上記放熱板フックを内外方向にスライド自在に取り付け、上記放熱板フックばねを上記蓋本体に装着した板ばね状の弾性体により形成し、上記放熱板フックに放熱板フック当接部を形成し、該放熱板フックが係合解除方向にスライドした際にその放熱板フック当接部が当接する蓋フック当接部を上記蓋フックばねに形成し、上記蓋フックが上記ジャー本体との係合から外れた当初の係合解除状態における上記放熱板フック当接部と上記蓋フック当接部との位置関係が、上記放熱板フック当接部を基準に係合解除スライド方向に見た場合、蓋フック当接部が一定距離ｂ１だけその方向に離れていることを特徴とする炊飯ジャーの蓋。
【請求項７】
上記の距離ｂ1 が、上記放熱板フックと放熱板セットとの係合の解除が開始されてから完全解除に至るまでに該放熱板フックがスライドする距離ｂより小さいことを特徴とする請求項６に記載の炊飯ジャーの蓋。
【請求項８】
上記放熱板フックが係合解除方向へ距離ｂ1 だけ移動する間は、上記放熱板フックばねのばね力のみが該放熱板フックに作用し、上記距離ｂ1 を越えて上記距離ｂの直前に達するまでの移動距離ｂ2 を移動する間は、上記放熱板フックばねと上記蓋フックばねの総合ばね力が該放熱板フックに作用することを特徴とする請求項７に記載の炊飯ジャーの蓋。
【発明の詳細な説明】
【０００１】
【発明の属する技術分野】
この発明は炊飯ジャーの蓋に関し、特に放熱板セットのフック構造に関するものである。
【０００２】
【従来の技術】
炊飯ジャーの蓋の内面には結露防止等の目的で蓋ヒーターが装着され、その蓋ヒーターの熱をジャー本体内の鍋側に放散させるための放熱板セットが蓋下面に取り付けられる。この放熱板セットは炊飯時におねばが付着して汚れるため、洗浄できるように着脱自在に取り付けられる。
【０００３】
上記の放熱板セットを蓋に係合するために従来から採用されているフック構造を図１８に示す。同図において、蓋７１は蓋本体７２とその上部に一体に設けられた蓋上板７３、その他の付属物（図示省略の蒸気通路セット等）により形成され、また放熱板セット７４は、蓋本体７２の後部の係合部７５と前部のフック７６とに着脱自在に係合される。放熱板セット７４は、円板状の放熱板７７とその外周縁にシール部材７８を介して取り付けられた放熱板リング７９とにより構成される。
【０００４】
上記の放熱板リング７９には係合爪８１が設けられ、前記のフック７６に係合される。フック７６は前後方向にスライド自在に取り付けられ、蓋本体７２の内部に設けられたコイルばね８２により内向きに付勢される。フック７６は、前記の係合爪８１に係合される放熱板フック部８３が内向きに形成され、また、ジャー本体８４のフックレバー８５に係合される蓋フック部８６が外向きに形成される。
【０００５】
上記構成のフック構造において、フックレバー８５を操作すると、蓋フック部８６の係合が外れ、蓋７１が開放される。また、使用者が若干の力を加えることにより放熱板フック８３と係合爪８１の係合が外れ、放熱板セット７４を蓋７１から取り外すことができる。放熱板セット７４を蓋７１に装着する際は逆の手順による。
【０００６】
【発明が解決しようとする課題】
上記のようなフック構造をもった炊飯ジャーの蓋において、これを開けようとしたとき、炊飯鍋８７の内部の負圧によりシール部材７８が炊飯鍋８７に密着する力が、放熱板セット７４の蓋本体７２に対する係合力より大きい場合には、放熱板セット７４が蓋本体７２から外れ、炊飯鍋８７側に残ってしまう不都合がある。
【０００７】
このような不都合をなくするために、コイルばね８２のばね力を強くして放熱板セット７４の係合力を大きくすると、手入れ等の際に放熱板セット７４の着脱に大きな力が必要になり、かえって不便となる。
【０００８】
そこで、この発明は、放熱板セット７４の蓋本体７２に対する着脱が容易である一方、蓋本体７２に対する係合力を大きくして蓋の開放時に放熱板セット７４が炊飯鍋８７側に残ることがないように工夫した炊飯ジャーの蓋を提供することを課題とする。
【０００９】
【課題を解決するための手段】
上記の課題を解決するために、この発明は、蓋本体の下面に放熱板セットを着脱自在に取り付け、上記蓋本体にジャー本体と係合する蓋フックと、上記放熱板セットと係合する放熱板フックとを設け、上記蓋フックを蓋フックばねにより、また上記放熱板フックを放熱板フックばねによりそれぞれ係合方向に付勢力を付与した炊飯ジャーの蓋において、上記蓋フックと上記放熱板フックとを独立の部材により形成するとともに、上記各フックを共通の支点ピン上に回転自在に、且つ、それぞれのフックばねの付勢力により同じ回転方向に係合と係合解除が行われるように取り付け、上記放熱板フックばねの一部に放熱板フック当接部を形成し、該放熱板フックが上記支点ピンを中心に係合解除方向に回転した際にその放熱板フック当接部が当接する蓋フック当接部を上記蓋フックばねに形成し、上記蓋フックが上記ジャー本体との係合から外れた当初の係合解除状態における上記放熱板フック当接部と上記蓋フック当接部との位置関係が、上記放熱板フック当接部を基準に係合解除回転方向に見た場合に上記蓋フック当接部が一定の進み角度θ１の位置にある構成を採ったものである。
【００１０】
上記の構成によると、放熱板フックと放熱板セットの係合及び係合の解除の際は、上記の角度θ１  の範囲は通常どおり放熱板フックばねのみが作用するが、その角度θ１  をこえると、放熱板フック当接部が蓋フック当接部に当接するため、放熱板フックには、放熱板フックばねと蓋フックばねの総合ばね力が作用する。これにより、放熱板セットの着脱には左程影響を与えることなく、炊飯鍋の負圧に打ち勝って放熱板セットの外れを防止することができる。
【００１１】
上記の角度θ１  を、上記放熱板フックと放熱板セットとの係合の解除が開始されてから完全解除に至るまでに該放熱板フックが回転する回転角度θより小さく設定した構成を採ることができる。このように設定すると、完全解除に至る途中において確実に放熱板フック当接部を蓋フック当接部に当接させることができる。
【００１２】
また、上記放熱板フックが上記角度θ１だけ係合解除回転方向に回転する間は、上記放熱板フックばねのばね力のみが該放熱板フックに作用し、上記角度θ１  を越えて上記回転角度θに達するまでの回転角度θ２  を回転する間は、上記放熱板フックばねと上記蓋フックばねの総合ばね力が該放熱板フックに作用する構成を採ることができる。
【００１３】
さらに、上記放熱板フックばねが上記支点ピンに沿って設けた直線状の弾性体により形成され、その弾性体の一部に上記の放熱板フック当接部が形成され、上記蓋フックに上記蓋フック当接部が形成された構成や、上記放熱板フックばねがコイルばねにより形成され、そのコイルばねの一部に上記の放熱板フック当接部が形成され、上記蓋フックに上記蓋フック当接部が形成された構成をとることができる。
【００１４】
また、前述の課題を解決するその他の手段として、蓋本体の下面に放熱板セットを着脱自在に取り付け、上記蓋本体にジャー本体と係合する蓋フックと、上記放熱板セットと係合する放熱板フックとを設け、上記蓋フックを蓋フックばねにより、また上記放熱板フックを放熱板フックばねによりそれぞれ係合方向に付勢力を付与した炊飯ジャーの蓋において、上記蓋フックと上記放熱板フックとを独立の部材により形成し、上記蓋フックを支点ピンに回転自在に取り付け、上記放熱板フックを内外方向にスライド自在に取り付け、上記放熱板フックばねを上記蓋本体に装着した板ばね状の弾性体により形成し、上記放熱板フックに放熱板フック当接部を形成し、該放熱板フックが係合解除方向にスライドした際にその放熱板フック当接部が当接する蓋フック当接部を上記蓋フックばねに形成し、上記蓋フックが上記ジャー本体との係合から外れた当初の係合解除状態における上記放熱板フック当接部と上記蓋フック当接部との位置関係が、上記放熱板フック当接部を基準に係合解除スライド方向に見た場合、蓋フック当接部が一定距離ｂ１だけその方向に離れている構成をとることができる。
【００１５】
上記の構成によると、放熱板フックと放熱板セットの係脱は、上記の距離ｂ１  の範囲は通常どおり放熱板フックばねのみが作用するが、その距離ｂ１  をこえると、放熱板フック当接部が蓋フック当接部に当接するため、放熱板フックには放熱板フックばねと蓋フックばねの総合ばね力が作用する。これにより、前記の場合と同様に、放熱板セットの着脱には左程影響を与えることなく、炊飯鍋の負圧に打ち勝って放熱板セットの外れを防止することができる。
【００１６】
上記の距離ｂ１  が、上記放熱板フックと放熱板セットとの係合の解除が開始されてから完全解除に至るまでに該放熱板フックがスライドする距離ｂより小さい構成や、上記放熱板フックが係合解除方向へ距離ｂ１  だけ移動する間は、上記放熱板フックばねのばね力のみが該放熱板フックに作用し、上記距離ｂ１  を越えて上記距離ｂに達するまでの移動距離ｂ２  を移動する間は、上記放熱板フックばねと上記蓋フックばねの総合ばね力が該放熱板フックに作用する構成をとることができる。
【００１７】
【発明の実施の形態】
以下、この発明の実施形態を図面に基づいて説明する。図１から図１２に示した第１実施形態の炊飯ジャーは、ジャー本体１と、そのジャー本体１にヒンジ部を介して開閉自在に取り付けられた蓋２、その蓋２の内面に着脱自在に取り付けられた放熱板セット３（図３参照）とからなる。
【００１８】
上記の蓋２は、図２に示すように、プラスチック製の蓋本体４と、これに固定された金属製の補強板５、これらの上面をカバーするプラスチック製の蓋上板６を主要な構成部品としている。上記の蓋本体４は多数の補強リブ７により補強され、さらに上記の補強板５を加えることにより、加圧炊飯時の圧力に耐え得るようになっている。上記の蓋本体４には、その他の構成部品として、ジャー本体１と係脱する蓋フック８、放熱板セット３と係脱する放熱板フック９、蒸気通路セット１０、ヒータを上面に装着したヒーターカバー１１（図３参照）等が組み込まれている。
【００１９】
上記の放熱板セット３は、図３に示すように、放熱板１２、その周りのプラスチック製の放熱板リング１３、放熱板１２の外周と放熱板リング１３の内周に装着されたシール部材１４とからなる。放熱板リング１３の前端に係合爪１５が設けられる。
【００２０】
前記の蓋フック８は、図４に示すように、左右両端部に支点穴１６が設けられ、両方の支点穴１６の内側に下方に垂下された左右一対のフック片１７が設けられる。また、両方のフック片１７の間に下方に垂下された係合片１８が設けられる。さらに、上記の係合片１８の上方に斜め上向きの枠片２１が設けられ、その枠片２１の中央部にほぼ矩形の開口２２が設けられる。また、枠片２１の上辺に斜め上向きに突き出したばね受け片２３が設けられる。
【００２１】
上記の係合片１８は後述のフックレバー１９（図３参照）に係合され、そのフックレバー１９はジャー本体１のフックボタン２０（図１参照）により操作される。
【００２２】
上記の蓋フック８を付勢する蓋フックばね２４は、２連のコイルばねにより形成され、左右一対のコイル部２５とコイル部２５間のコの字形の連結部２６および各コイル部２５ごとの自由端部２７とからなる。
【００２３】
前記の放熱板フック９は、図５に示すように、支点穴２８を有し、その支点穴２８より内側にストッパー突起２９が設けられ、そのストッパー突起２９の下方にフック係合部３１が設けられる。また、支点穴２８の上方にばね受け部３２が設けられる。
【００２４】
前記の蓋フック８、蓋フックばね２４及び放熱板フック９に、図４に示すように、共通の１本の支点ピン３３が挿通される。即ち、蓋フックばね２４は、その両方のコイル部２５が蓋フック８の各支点穴１６の内側に配置され、さらに、その両方のコイル部２５の間に前記の放熱板フック９が介在され、放熱板フック９のばね受け部３２が蓋フック８の開口２２から上方に露出する（図５参照）。上記の支点ピン３３は、蓋フック８の一方の支点穴１６、一方のコイル部２５、放熱板フック９の支点穴２８、他方のコイル部２５、他方の支点穴１６の順に挿通され、これにより蓋フック８、蓋フックばね２４及び放熱板フック９の３部材が一体に組み合わされる。支点ピン３３の両端部は、図４に示すように補強板５に設けた取付け穴３４、３４に挿通される。
【００２５】
蓋フックばね２４の連結部２６は蓋フック８のばね受け片２３に当てられ、またその自由端部２７は補強板５上に押し当てられる。これにより、蓋フック８はそのフック片１７が内向きに回動し、ジャー本体１の一部と係合する方向に付勢される（図３参照）。
【００２６】
上記の支点ピン３３の両端部の各取付け穴３４の直上において、補強板５に支持穴３５が設けられ、その支持穴３５に両端部が挿通支持されたピアノ線のような直線状の弾性体で形成された放熱板フックばね３６の中央部分が、放熱板フック９のばね受け部３２の内面側に押し当てられる。この放熱板フックばね３６の両端部が若干外方に位置するように撓ませることにより、放熱板フック９のフック係合部３１に内向きに回動する方向、即ちフック係合部３１が係合爪１５に係合する方向（以下、係合回転方向と称する。図５の矢印Ｙ参照）に付勢力を与える。その付勢力によりストッパー突起２９が蓋本体４の一部に当接し、放熱板フック９の姿勢を一定の姿勢に維持する（図３参照）。
【００２７】
前記の放熱板フック９のフック係合部３１と、放熱板セット３の係合爪１５との関係を図６（ａ）（ｂ）で説明する。同図（ａ）は、フック係合部３１と係合爪１５とが係合状態にある場合において、放熱板セット３に下向きの力Ｐ１  を加えてこれを取り外そうとしている状態を示している。フック係合部３１と係合爪１５はそれぞれ水平な面で上下に対向した上部接触部３８において接触している。その上部接触部３８の代表的な一点から、上記力Ｐ１  に対し直角方向に見た支点ピン３３との距離をＸ１  で表している。上記の力Ｐ１  と距離Ｘ１  とにより生じる回転モーメントにより、放熱板フック９に係合が外れる方向（以下、係合解除回転方向と称する。矢印Ｘ参照）の回転を生じさせる。
【００２８】
一方、放熱板セット３を蓋２に装着する場合は、同図（ｂ）に示すように、係合爪１５の傾斜面３９がフック係合部３１の下部に接触する。この接触部分を下部接触部４１と称する。その接触状態において、放熱板セット３に上向きの力Ｐ３  を加えると、傾斜面３９の傾斜角に応じた外向きの水平分力Ｐ４  が発生する。上記の下部接触部４１から上向きの力Ｐ３  に対し直角方向に見た支点ピン３３までの距離をＸ３  で表し、水平分力Ｐ４  に対し直角方向に見た支点ピン３３までの距離をＸ４  で表すと、Ｐ３  ×Ｘ３  ＜Ｐ４  ×Ｘ４  の関係が成立するよう設定されている。これにより、放熱板フック９に前記と同様の係合解除回転方向Ｘの回転を生じさせる。
【００２９】
その他、図３において、４２は炊飯鍋、４３は液晶表示装置、４４は蒸気孔セットである。
【００３０】
次に、図７及び図８に基づいて蓋フック８、放熱板フック９、蓋フックばね２４及び放熱板フックばね３６の関係について説明する。これらの図は、蓋フック８のフック片１７がフックレバー１９の作用により蓋本体４の係合凹所３０に対する係合が解除された当初の状態（図８（ｂ）の（イ）参照）にあり、蓋２が開放を開始する直前の状態を示す。
【００３１】
この状態において、放熱板フックばね３６のうち最も蓋フック８のばね受け片２３に接近した部分を放熱板フック当接部６２と称する。この放熱板フック当接部６２は、図７に示すように、開口２２の両側において２ヵ所存在する。また、上記の放熱板フック当接部６２に対向し、これと当接する蓋フック当接部６３（図８（ａ）参照）を蓋フック８のばね受け片２３上に形成する。
【００３２】
上記の蓋フック８及び放熱板フック９がそれぞれジャー本体１及び放熱板セット３から外れて係合が解除された場合の回転方向、即ち前述の係合解除回転方向Xとその反対の係合回転方向Ｙを図８（ａ）に示す。
【００３３】
上記の放熱板フック当接部６２を基準として、上記の係合解除回転方向Ｘに蓋フック当接部６３を見た場合、その位置は一定の進み角度θ１の位置にある。
【００３４】
上記の角度θ１は、放熱板フック９の放熱板セット３に対する係合の解除が開始され、係合解除方向Ｘに回転して完全解除の直前に至るまでの回転角度θより小さい角度に設定される。従って、放熱板フック当接部６２は、図８（ａ）の（イ）の状態から角度θ１だけ回転した（ロ）状態で蓋フック当接部６３に当接する。これと同時に、蓋フック８のフック片１７は同図（ｂ）に示すように、係合が外れた（イ）の状態からａ１  だけ上昇して（ロ）の位置に達する。
【００３５】
さらに放熱板フック９が蓋フック８と一体となって角度θ２（＝θ−θ１  ）だけ回転すると、放熱板フック９が係合爪１５から完全に外れる寸前に達し、同図（ａ）の（ハ）の位置となる。また、フック片１７はａ２  だけ上昇し、同図（ｂ）の（ハ）の位置に達する。
【００３６】
放熱板フック９が上記のように角度θ１  だけ回転する間において、該放熱板フック９に作用するばね力は、放熱板フックばね３６によるものだけであるが、角度θ１  を越え角度θ２  の間を回転する間は上記の放熱板フックばね３６のばね力と蓋フックばね２４のばね力の総合ばね力が作用する。
【００３７】
その結果、角度θ１  の間は比較的軽く回転するが、角度θ２  の間は重くなる。その重さ、即ち総合ばね力を、炊飯鍋４２の負圧によって放熱板セット３が吸着される力を上回るように設定しておくことにより、蓋２の開放時において、放熱板セット３が蓋本体４からの外れることを防止できる。
【００３８】
放熱板フック９に付勢力を与える放熱板フックばね３６として、上記のようにピアノ線のような直線状の弾性体を使用する代わりに、図９及び図１０に示すように、コイルばねを用いることができる。この場合は、放熱板フック９のばね受け部３２を前述の場合よりも内方に長く突き出して設け、また支点ピン３３の挿通部分より上方において左右に突き出したばね支持ピン６４，６４を設ける。この場合の放熱板フックばね３６は、左右のコイル部６５，６５と、これらの外端部相互を連結する連結部６６および各コイル部６５、６５の内端部に形成された自由端部６７、６７とからなる。連結部６６に左右方向に突き出して折り返した部分、即ち放熱板フック当接部６２が形成される。
【００３９】
上記の左右のコイル部６５，６５は左右のばね支持ピン６４，６４に挿通され、連結部６６はばね受け部３２の下面に押し当てられ、各自由端部６７，６７が蓋本体４の上面に当てられる。これにより、放熱板フック９に対し、係合爪１５との係合が深くなる係合回転方向Ｙ（図１０参照）に付勢力を与える。
【００４０】
上記の放熱板フック当接部６２は、前記蓋フックばね２４の連結部２６上に対向し、その連結部２６上に蓋フック当接部６３が形成される。
【００４１】
図１０は、前述の場合と同様に、蓋フック８のフック片１７がフックレバー１９の作用により蓋本体４の係合凹所３０に対する係合が解除された当初の状態（図１０（ｂ）の（イ）参照）を示し、蓋２がこれから開放を開始しようとする状態にある。
【００４２】
この状態において、上記の放熱板フック当接部６２から係合解除方向Ｘに蓋フック当接部６３を見た場合、前述の場合と同様に、蓋フック当接部６３は放熱板フック当接部６２に対し一定の進み角度θ１の位置にある。
【００４３】
上記の角度θ１は、放熱板フック９が係合解除方向Ｘに回転して完全解除に至るまでの回転角度θより小さい角度に設定される。従って、放熱板フック当接部６２は、図１０（ａ）の（イ）の状態から角度θ１だけ回転した（ロ）状態で蓋フック当接部６３に当接する。これと同時に、蓋フック８のフック片１７は同図（ｂ）に示すように、係合が外れた（イ）の状態からａ１  だけ上昇して（ロ）の位置に達する。さらに放熱板フック９が蓋フック８と一体となって角度θ２（＝θ−θ１  ）だけ回転すると、放熱板フック９が係合爪１５から完全に外れる直前の同図（ａ）の（ハ）の位置に達する。また、フック片１７はａ２  だけ上昇し、同図（ｂ）の（ハ）の位置に達する。
【００４４】
放熱板フック９が上記のように角度θ１  だけ回転する間において、該放熱板フック９に作用するばね力は放熱板フックばね３６によるものだけであるが、角度θ１  を越え角度θ２  の間を回転する間は上記の放熱板フックばね３６のばね力と蓋フックばね２４のばね力の総合ばね力が作用する。
【００４５】
その結果、角度θ１  の間は比較的軽く回転するが、角度θ２  の間は重くなる。その重さ、即ち総合ばね力を、炊飯鍋４２の負圧によって放熱板セット３が吸着される力を上回るように設定しておくことにより、蓋２の開放時において、放熱板セットが蓋本体４から外れることが防止される。
【００４６】
また、図１１及び図１２に示すように、前記のコイルばねでなる放熱板フックばね３６を支点ピン３３に装着した構成をとることもできる。支点ピン３３には、蓋フックばね２４が装着されているが、上記の放熱板フックばね３６も同じ支点ピン３３上に装着される。その放熱板フックばね３６は連結部６６を有し、その連結部６６上に前述の場合と同様に、放熱板フック当接部６２が設定され、これに対向してフック８側に蓋フック当接部６３が設定される。その他の構成及び作用は前述の場合と同様である。
【００４７】
第１実施形態の炊飯ジャーは以上のようなものであり、次にその作用について説明する。蓋２を閉めた図３の状態において、蓋フック８は蓋フックばね２４の付勢力を受け、フック片１７がジャー本体１の係合凹所３０部に係合される。また、放熱板フック９は、放熱板フックばね３６の付勢力を受け、フック係合部３１が放熱板リング１３の係合爪１５に係合される。放熱板リング１３の後端部は、図示を省略しているが、蓋本体４に設けた凹所に着脱自在に嵌合される。
【００４８】
蓋２を開放する際はジャー本体１のフックボタン２０（図１参照）を押し込む。そうすると、フックレバー１９が作動し、蓋フック８を外向きに回動させることにより、フック片１７の係合が外れ、蓋２が開放される。
【００４９】
このとき、放熱板セット３のシール部材１４が炊飯鍋４２の負圧により吸着されていることがあっても、放熱板フック９が係合解除方向Ｘに若干（角度θ１）回転すると、それ以降は放熱板フックばね３６と蓋フックばね２４の総合ばね力がその放熱板フック９に作用する。その総合ばね力は炊飯鍋４２の負圧による吸引力より大きく設定されているため、放熱板セット３が蓋本体４から外れることなく、蓋本体４と一体となって開放される。この作用は、図９、図１０及び図１１、図１２に示した場合も同様である。
【００５０】
蓋２を開放したのち、その蓋２から放熱板セット３を外す際は、その係合爪１５の部分に下向きの力Ｐ１を加えると（図６（ａ）参照）、下部接触部３８において放熱板フック９に支点ピン３３周りの回転モーメントが生じて外向き（矢印Ｘ参照）に回転し、フック係合部３１が係合爪１５から外れ、放熱板セット３が蓋２から外れる。逆に、放熱板セット３を装着する場合は、後端部を蓋本体４の凹所（図示省略）に嵌合したのち、係合爪１５の傾斜面３９をフック係合部３１の下面に押し当て上向きの力Ｐ３を加える（図６（ｂ）参照）。そうすると、下部接触部４１における水平分力Ｐ４により放熱板フック９が外向きに回転しフック係合部３１に係合され、蓋２に放熱板セットが装着される。
【００５１】
なお、放熱板セット３を装着することなく蓋２を閉めた場合でも、蓋フック８はジャー本体１に係合されるため、閉止することができる。放熱板セット３の装着の有無は別途センサー等で検知され、放熱板セット３を装着しないまま炊飯する事態を防止する。
【００５２】
次に、図１３から図１７に基づいて第２実施形態を説明する。前記の第１実施形態と相違する点は、放熱板フック９と、これを付勢する放熱板フックばね３６にある。これ以外の構造及び作用は、第１実施形態と実質的に同じである。
【００５３】
この場合の放熱板フック９は、内外方向（即ち、炊飯ジャーの前後方向）にスライド自在に組み込まれる。この放熱板フック９は、図１４に示すように、平板状のフック基板４６の内端部（後端部）に放熱板セット３の係合爪１５と係脱されるフック係合部３１が設けられ、また、その外端部（前端部）に設けた立上がり部４７の両側にそれぞれ両側に開放された前部案内凹所４８、４８が形成される。更に、上記のフック係合部３１の両側の下面に後部案内面４９、４９が形成される。
【００５４】
一方、蓋本体４においては、その前端立上がり壁５１の下端部とその内側に沿った部分に開口部５２が形成され、その開口部５２の両側の外側上部にそれぞれ案内突起５３、５３が平行に伸び出している。この案内突起５３、５３は前端立上がり壁５１の内面に一体に形成され、放熱板フック９の前記の前部案内凹所４８、４８の部分が嵌合される。更に、後部案内面４９、４９が蓋本体４の平坦面に接触される。これらの案内作用により、放熱板フック９が内外方向（前後方向）にスライド自在に案内される。
【００５５】
また、上記の各案内突起５３、５３に接近して、ばね支持部５４、５４が設けられる。各ばね支持部５４に、放熱板フックばね３６の両端部が挿入支持される。放熱板フックばね３６は、図１４（ａ）に示すように、下向きのコの字形の板ばねにより形成され、両端部に支持片５６、５６が形成される。その支持片５６、５６を上記ばね支持部５４、５４のスリット５７、５７に挿入して起立させる。放熱板フックばね３６の中央部に下向きの押し当て片５８が設けられ、その押し当て片５８が前記の放熱板フック９の立上がり部４７の外端面（前端面）に当接される（図１４（ｂ）参照）。
【００５６】
上記の放熱板フック９の前記立上がり部４７の下端部に開口部５９が設けられ、その開口部５９に蓋フック８の係合片１８が挿通される（図１５参照）。また、その開口部５９の後部内側辺の中央部に突起６８が設けられ（図１７（ａ）参照）、その突起６８の先端に放熱板フック当接部６２が形成される。またその放熱板フック部６２の対向した係合片１８の内面に蓋フック当接部６３が設定される（同図（ｂ）参照）。
【００５７】
図１７（ｂ）は、前述の場合と同様に、蓋フック８がフックレバー１９の作用により蓋本体４に対する係合が解除された当初の状態にあり、蓋２がこれから開放を開始しようとする状態を示す。
【００５８】
この状態において、上記の放熱板フック当接部６２と蓋フック当接部６３との間には間隔ｂ1 がある。その間隔ｂ1 は放熱板フック９が同図（ｂ）の（イ）の状態から前進して放熱板セット３の係合爪１５との係合の完全解除に至るまでの前進距離ｂより短い距離に設定される。従って、放熱板フック当接部６２は、図１７（ｂ）の（イ）の状態から距離ｂ１だけ前進した（ロ）状態で蓋フック当接部６３に当接する。これと同時に、蓋フック８のフック片１７は同図（ｃ）に示すように、係合が外れた（イ）の状態からａ1 だけ上昇して（ロ）の位置に達する。さらに放熱板フック９が蓋フック８と一体となって距離ｂ2 （＝ｂ−ｂ1 ）だけ前進すると、放熱板フック９が係合爪１５から完全に外れる直前の同図（ｂ）の（ハ）の位置に達し、フック片１７はａ2 だけ上昇し、同図（ｃ）の（ハ）の位置に達する。
【００５９】
放熱板フック９が上記のように距離ｂ１  だけ移動する間において、該放熱板フック９に作用するばね力は放熱板フックばね３６によるものだけであるが、距離ｂ１  を越え距離ｂ２  の間を前進する間は，上記の放熱板フックばね３６のばね力と蓋フックばね２４のばね力の総合ばね力が作用する。
【００６０】
その結果、距離ｂ１  の間は比較的軽く移動するが、距離ｂ２  の間は重くなる。その重さ、即ち総合ばね力を、炊飯鍋４２の負圧によって放熱板セット３が吸着される力を上回るように設定しておくことにより、蓋２の開放時において、放熱板セットが蓋本体４から外れることが防止される。
【００６１】
上記の放熱板フック９のフック係合部３１の上部面には傾斜面６１が形成され（図１６（ａ）参照）、放熱板セット３の係合爪１５と上部接触部３８において接触する。この上部接触部３８において、下向きの力Ｐ５  が作用すると、傾斜面６１の傾斜角に応じて水平分力Ｐ６  が生じ、その水平分力Ｐ６  による外向きの力が上記下向きの力Ｐ５  による摩擦力に打ち勝つことにより、放熱板フック９が外方にスライドし係合が外れる。このとき、放熱板セット３のシール部材１４が炊飯鍋４２の負圧により吸着されていることがあっても、放熱板フック９には、放熱板フックばね３６と蓋フックばね２４の総合ばね力が作用し、その総合ばね力が炊飯鍋４２の負圧より大きく設定されているため、放熱板セット３が蓋本体４から外れることなく、蓋本体４と一体となって開放される。
【００６２】
なお、上記の放熱板フック９が外方にスライドすることにより放熱板フックばね３６が外方に撓められるため、放熱板フック９はその弾力により押し戻される。
【００６３】
また、放熱板セット３を装着する場合は、図１６（ｂ）に示すように、係合爪１５の傾斜面３９がフック係合部３１の下部面における下部接触部４１に接触し、これに上向きの力Ｐ７  が加えられると、傾斜面３９の傾斜角に応じた水平分力Ｐ８  が生じ、その水平分力Ｐ８  による外向きの力が上記上向きの力Ｐ７  による摩擦力に打ち勝つことにより、放熱板フック９が外方にスライドして係合され、放熱板セット３が蓋２に装着される。
【００６４】
【発明の効果】
以上のように、この発明によれば、炊飯ジャーの蓋を開ける際に、一時的に放熱板フックに加わるばね力を増大させることにより、放熱板セットに炊飯鍋の負圧が作用することがあっても、放熱板セットが外れることなく放熱板セットとともに蓋を開放させることができる。また、蓋に対する放熱板セットの着脱時は一時的に強いばね力が作用するだけであるので、その着脱作業に支障を来すことはない。
【図面の簡単な説明】
【図１】第１実施形態の炊飯ジャーの斜視図
【図２】同上の蓋の一部省略斜視図
【図３】同上の蓋の一部省略拡大断面図
【図４】同上の蓋の一部分解斜視図
【図５】同上の放熱板フックの係合部分の断面図
【図６】（ａ）同上の放熱板フックを外す場合の断面図
（ｂ）同上の放熱板フックを装着する場合の断面図
【図７】同上の蓋フック部分の平面図
【図８】（ａ）図７のＩＸ−ＩＸ  線の断面図
（ｂ）同上のフック片部分の作用説明図
【図９】第１実施形態の変形例の一部斜視図
【図１０】図９の部分の断面図
【図１１】第１実施形態の他の変形例の一部斜視図
【図１２】（ａ）図１１の部分の断面図
（ｂ）（ａ）図の場合の作用説明図
（ｃ）（ａ）図の場合の作用説明図
【図１３】第２実施形態の蓋の一部分解斜視図
【図１４】（ａ）同上の放熱板フック部分の分解斜視図
（ｂ）同上の放熱板フック部分の組み立て状態の断面図
【図１５】同上の放熱板フックの係合部分の断面図
【図１６】（ａ）同上の放熱板フックを外す場合の断面図
（ｂ）同上の放熱板フックを装着する場合の断面図
【図１７】（ａ）同上の放熱板フックの斜視図
（ｂ）同上の放熱板フック部分の断面図
（ｃ）（ｂ）図の場合の作用説明図
【図１８】従来例の一部省略断面図
【符号の説明】
１  ジャー本体
２  蓋
３  放熱板セット
４  蓋本体
５  補強板
６  蓋上板
７  補強リブ
８  蓋フック
９  放熱板フック
１０  蒸気通路セット
１１  ヒーターカバー
１２  放熱板
１３  放熱板リング
１４  シール部材
１５  係合爪
１６  支点穴
１７  フック片
１８  係合片
１９  フックレバー
２０  フックボタン
２１  枠片
２２  開口
２３  ばね受け片
２４  蓋フックばね
２５  コイル部
２６  連結部
２７  自由端部
２８  支点穴
２９  ストッパー突起
３０  係合凹所
３１、３１’  フック係合部
３２  ばね受け部
３３  支点ピン
３４  取付け穴
３５  支持穴
３６  放熱板フックばね
３８  上部接触部
３９  傾斜面
４１、４１’  下部接触部
４２  炊飯鍋
４３  液晶表示装置
４４  蒸気孔セット
４６  フック基板
４７  立上がり部
４８  前部案内凹所
４９  後部案内面
５１  前端立上がり壁
５２  開口部
５３  案内突起
５４  ばね支持部
５６  支持片
５７  スリット
５８  押し当て片
５９  開口部
６１  傾斜面
６２  放熱板フック当接部
６３  蓋フック当接部
６４  ばね支持ピン
６５  コイル部
６６  連結部
６７  自由端部
６８  突起
【図１】
0003548093.tif 000002
【図２】
0003548093.tif 000003
【図３】
0003548093.tif 000004
【図４】
0003548093.tif 000005
【図５】
0003548093.tif 000006
【図６】
0003548093.tif 000007
【図７】
0003548093.tif 000008
【図８】
0003548093.tif 000009
【図９】
0003548093.tif 000010
【図１０】
0003548093.tif 000011
【図１１】
0003548093.tif 000012
【図１２】
0003548093.tif 000013
【図１３】
0003548093.tif 000014
【図１４】
0003548093.tif 000015
【図１５】
0003548093.tif 000016
【図１６】
0003548093.tif 000017
【図１７】
0003548093.tif 000018
【図１８】
0003548093.tif 000019